(57)【要約】【課題】カートンケースから取り出しを容易にするマルチパック包装体を提供する。【解決手段】マルチパック包装体１０は、上面部１０ａと、底面部１０ｂと両側面部１０ｃ，１０ｄからなる複数の円筒状容器１を整列して収容し保持する。マルチパック包装体１０は、前記側面部１０ｃ，１０ｄの略中央位置に把持片１２を、一辺１２ａを残して切り込みにより形成している。カートンケースより取り出す場合には、把持片１２を手前に引き出し、これを把持して包装体１０を引き出す。【選択図】図３
2013047124.tif 000002
【特許請求の範囲】
【請求項１】
複数の容器が並列された容器群の上面を覆う上面部と、前記容器群の底面を覆う底面部と、前記容器群の両側部を覆う一対の側面部とから構成され、前記容器群を収容した状態でカートンケースに収納されるマルチパック包装体であって、
前記一対の側面部のそれぞれに、一辺を残して切り込みにより形成された把持片とを有するマルチパック包装体。
【請求項２】
前記上面部は、指を挿入できる切り込み線又は孔を有する請求項１に記載のマルチパック包装体。
【請求項３】
前記把持片が陳列棚の取出部に向けられた状態で前記陳列棚に設置される請求項１又は２に記載のマルチパック包装体。
【請求項４】
前記把持片は、折り込み線が形成された直線部と切り込み線が形成された円周部とを有する請求項１から３のいずれかに記載のマルチパック包装体。
【請求項５】
前記円周部には指が挿入できるサイズの切欠が形成されている請求項４に記載のマルチパック包装体。
【請求項６】
前記円周部に隣接して指が挿入できるサイズの指挿入用舌片部が形成されている請求項４に記載のマルチパック包装体。
【発明の詳細な説明】
【技術分野】
【０００１】
本発明は、缶ビールや缶ジュースなどの円筒状飲料容器を複数個整列して包装するマルチパック包装体に関する。
【背景技術】
【０００２】
従来から缶ビールや缶ジュース等を例えば４缶、６缶などと複数個まとめて販売するために缶を複数個整列させて包装する包装体、いわゆるマルチパック包装体に収容して取り扱うようにすることが行われている。図１は包装体の一例を示し、包装体１は、通常、複数個の整列した缶２を上面部１ａ、底面部１ｂ及び両側面部１ｃ，１ｄで囲み、前後を開口にして内部の収容された缶が露出するようにして保持するようにしている。
【０００３】
そしてこの包装体は卸売業者から小売店などへの流通過程ではさらに図２に示すように、カートンケース３に複数個収納して運ばれる。このカートンケース３に収容された包装体をカートンケースから取り出す場合には、図１に示すように、カートンケース３のサイドフラップ３ａを開けて引き出すようにして取り出すようにしている。しかしながら、カートンケース３に収納された包装体１が、図２に示されるように、サイドフラップ３ａが開けられた開口部に包装体１の側面部１ｃが向けられている状態となっている場合、包装体を掴むのに適した箇所が存在せず、引き出しに苦労することとなっていた。カートンケースからこのような包装体を引き出す際、その引き出しを容易にするために、包装体の側板部の縁部に突出する手掛け用の摘み片を設けたものが提案されている（特許文献１）
【特許文献１】特開２００１−２３３３７８号公報
【発明の開示】
【発明が解決しようとする課題】
【０００４】
上述の手掛け用摘み片を設けたものは、カートンケースを開けた開口部に包装体に保持される缶が露出する側が向けられて収容される場合を想定して、包装体の取出を容易にするために包装体の側面部の縁部に手掛け用摘み片を設けたものである。したがって、包装体が図２のように、その側板部１ｃがカートンケースの開口面に位置するような場合は、好適な手掛かりとはならないという問題がある。また、側面部縁部に摘み片を突出して設けた場合は、摘み片強度が十分に確保できず、その部分でちぎれたりするおそれもある。また、摘み片を掴んで引き出すとき、包装体１全体に対し均一に力が作用せず、円滑な引き出しが難しいという問題がある。
【０００５】
本発明の課題は、円筒状飲料容器を複数個整列して包装するマルチパック包装体を、これを収容したカートンケースから取り出す際に、その取り出しを容易にするマルチパック包装体を提供することにある。
【課題を解決するための手段】
【０００６】
上記課題は本発明の以下のマルチパック包装体により解決される。
【０００７】
本発明の第１の発明は、複数の容器が並列された容器群の上面を覆う上面部と、前記容器群の底面を覆う底面部と、前記容器群の両側部を覆う一対の側面部とから構成され、前記容器群を収容した状態でカートンケースに収納されるマルチパック包装体であって、
前記一対の側面部のそれぞれに、一辺を残して切り込みにより形成された把持片とを有するマルチパック包装体である。
【０００８】
また、本発明の一つの態様として、前記上面部は、指を挿入できる切り込み線又は孔を有することを特徴とする。
【０００９】
更に、本発明の他の態様は、前記把持片が陳列棚の取出部に向けられた状態で前記陳列棚に設置されることを特徴とする。
【００１０】
更に、本発明の他の態様は、上記把持片は、折り込み線が形成された直線部と切り込み線が形成された円周部とを有する円形状をなすことを特徴とする。
【００１１】
更に、本発明の他の態様は、前記円周部には指が挿入できるサイズの切欠が形成されていることを特徴とする。
【００１２】
更に、本発明の態様は、前記円周部に隣接して指が挿入できるサイズの指挿入用舌片部が形成されていることを特徴とする。
【発明の効果】
【００１３】
本願の請求項１の発明によれば、マルチパック包装体の側面部がカートンケースの開口部に向けられて収納されている場合であっても、側面部に形成された把持片を切り起こしてそれを把持部とし、容易にカートンケースより引き出すことが可能となる。
【発明を実施するための最良の形態】
【００１４】
以下、本発明の実施例を図面を参照して説明する。図３は、本発明の第１の実施例に係るマルチパック包装体（単に「包装体」という）１０を示し、この包装体１０は４本のビール缶を収容するためのものである。包装体１０は、図１に示したものと基本的に同じ構造を有し、４本の缶２を、上面部１０ａ、底面部１０ｂ及び一対の両側面部１０ｃ，１０ｄで囲み、他の一対（左右）の側面部を開口にして内部の収容された缶２が露出するようにして保持するようにしており、全体として立方体に近い直方体の形状をなしている。なお、缶２の露出する開口部の４方の隅部には収容された缶２が脱落するのを防止する三角状の止め部１１が設けられている。
【００１５】
本実施例による包装体１０は、一対の側面部１０ｃ，１０ｄの中央部に把持片１２が形成されている。この把持片１２は全体として直線状の折り込み線１２ａと半円周部１２ｂからなる略半円形をなしている。折り込み線１２ａは折り込みを容易とするために罫線が施され、また、半円周部１２ｂは容易に切り離しが容易になるように切込線が施されている。また、半円状の舌片１２には、更に、半円状の切欠き１２ｃが形成されている。この切欠き１２ｃは把持片１２を引き出す際に指を挿入するためのものであり、サイズは人差し指が挿入できる程度のものである。
【００１６】
また、上面部１０ａと側面１０ｃ，１０ｄの一部には包装体１０を持ち運び際の手提げ部１３が切込み線１３ａ，１３ｂによって形成されている。そして、この手提げ部１３の切り起こしを容易にするために中央部に一対の孔１４ａ，１４ｂが形成されている。
【００１７】
図４は、図３に示した包装体１０の把持片１２を手前に引き出した状態を示している。上述のように、図３の状態において、把持片１２の半円状の切欠１２ｃに指を挿入することにより、容易に手前に引き出すことができる。したがって、本実施例の包装体１０が図２に示したようにカートンケース３に収納されている場合、把持片１２を引き出し、その把持片１２を把持するか、或いは、引き出した後に形成された開口１３内に指を係合することにより、包装体１０を手前に引き出すことができる。
【００１８】
カートンケース３より取り出した包装体１０を、例えば、小売店などの陳列棚に設置する際は、引き出された把持片１２は元に押し戻して、図３に示すように開口１３を塞ぐようにすれば、陳列などに不都合は生じない。
【００１９】
本実施例のように、包装体１０の側面１０ｃ，１０ｄに把持片１２を、一辺を残して切り離し可能に形成したことにより、側面１１ｃ，１１ｄに大きな穴が形成されず、側板の外観を特に損ねることなく、また、側板上に施される模様や表示を損なう影響を最小限にすることができる。
【００２０】
図５は、包装体１０を形成するための展開シート２０を示す。図示のように、展開シート２０は長尺状シートからなり、包装体１０の上面部１０ａ、底面部１０ｂ及び一対の両側面部１０ｃ，１０ｄに対応する区分を有し、夫々の区分の境界には点線で示す折り線２１〜２４が形成されている。また、各区分の境界線の両側部には止め片１１が夫々折り線１１ａによって形成されている。
【００２１】
底面部１０ｂは、展開シートの両端に底面部１０ｂ１と底面部１０ｂ２とに分割されて位置し、一方の底面部１０ｂ１には一対の係合片１５ａ，１５ｂが突出して形成され、他方の底面部１０ｂ２には係合片１５ａ，１５ｂが挿入される孔１６ａ，１６ｂと、挿入される係合片１５ａ，１５ｂを係止するための切込み１７ａ，１７ｂが形成されている。
【００２２】
上述の展開シート２０を使用して、例えばビール缶を包装する場合は、展開シート２０の上面部１０ａ上に４本の缶を整列して配置し、境界線である折り線２１，２２を折り立て、次いで折り線２３，２４を折り、係合片１５ａ，１５ｂを孔１６ａ，１６ｂに挿入した後、夫々を切込み１７ａ，１７ｂに差し込んで係合させる。これにより、図３に示す状態で缶を保持する包装体１０が出来上がる。
【００２３】
図６及び図７は、本発明の他の実施例のマルチパック包装体３０を示す。図３乃至図５に示した包装が４缶用のものであるのに対して本実施例の包装体３０は６缶を収容保持する包装体である点が相違する。缶２は３缶２列で整列して保持され、したがって、全体として直方体の形状をなしている。細部構造については、図３乃至図５に示したものと差違はなく、詳細な説明は省略する。本実施例においても、把持片３２を側板３０ｃ，３０ｄに形成する点は同じである。
【００２４】
本実施例の包装体３０をカートンケースより取り出す場合においても、前述の実施例と同様に把持片３２を引き出してこれを把持し、容易に取り出すことが可能となる。
【００２５】
図８は本発明の他の実施例に係るマルチパック包装体４０を示す。包装体４０は、図３に示す包装体１０と同様に４缶を収容する包装体であり、基本的構成は図３乃至図５に示す包装体１０と変わるところはない。本実施例による包装体４０は、包装体をカートンケースから引き出す際の指の係合部となる係合孔４２を包装体の上面４０ａに形成したものである。係合孔４２は、上面部４０ａと側面部４０ｃ，４０ｄの境界線の略中央部に形成している。係合孔４２は略半円形をなし、上記境界線上の直線部４２ａと上面部４０ａの内側に入り込むように切り欠かれた円周部４２ｂからなる。
【００２６】
包装体４０の側面部４０ｃがカートンケースの開口部側に位置する状態でカートンケースに収納されて入る場合、この包装体４０をカートンケースから引き出す際には、指を係合孔４２に挿入してこれに指を係合させて手前に引き出すことができる。
【００２７】
図９は他の実施例を示し、図８と同様にマルチパック包装体の上面部に指を係合させるため係合孔を６缶用のマルチパック包装体に設けたものである。包装体５０の上面部５０ａの側面部５０ｃ，５０ｄとの境界線に沿って、中央線Ｌを挟んで対称的に二つの係合孔５２，５３が形成されている。これらの係合孔５２，５３は、図８に示した係合孔４２と同じであり、直線部５２ａ，５３ａと円周部５２ｂ，５３ｂによって形成されている。
【００２８】
本実施例の包装体５０にあっても、これをカートンケースから引き出す場合には、適宜の指を係合孔５２，５３に押し当て、下方に押し込んで孔を形成し、指を係合させて引き出すことができる。
【００２９】
図１０乃至図１２は本発明の他の実施例に係る包装体６０を示す。包装体６０は図３乃至図５に示した包装体１０の変形例というべきものであり、把持片１２の形状において異なる。したがって、他の構成要素は図３乃至図５に示されたものと共通する部分については説明の便宜上同一の符号を付すと共に、それらの説明を省略する。
【００３０】
本実施例による包装体６０には、一対の側面部１０ｃ，１０ｄの中央部に把持片６２が形成されている。この把持片６２は全体として直線状の折り込み線６２ａと半円周部６２ｂからなる略半円形をなしている。折り込み線６２ａは折り込みを容易とするために罫線が施され、また、半円周部６２ｂは容易に切り離しが容易になるように切込線が施されている。
【００３１】
本実施例の半円状の６２には、図３に示すような半円状の切欠き１２ｃは形成されていない。図３の切欠１２ｃに代わるものとして、本実施例は別途に指を挿入するための指挿入用舌片６３を把持片とは別に形成している。
【００３２】
この指挿入用舌片６３は把持片６２を引き出す際に指を挿入するためのものであり、サイズは人差し指が挿入できる程度のものである。
【００３３】
指挿入用舌片６３は、直線状の折り込み線部６３ａ、側辺部６３ｂ，６３ｃと把持辺６２の半円周部６２ｂの一部と接する円周部６３ｄからなり、全体として略矩形状をなしている。側辺部６２ｂ，６２ｃと円周部６３ｄは切り込み線とされ、容易に切り離すことができるようにされている。
【００３４】
本実施例の包装体６０を、把持片６２を使用して引き出す場合、先ず、人差し指を指挿入用舌片６３の部分に包装体の内側に押し込む。これによって、指挿入用舌片６３の切り込み線である側辺部６３ｂ，６３ｃと円周部６３ｄが切り離されて、図１１に示すように、指が僅かながら内部に挿入できる状態となる。次に、挿入した指で把持片６２を手前に引き出すことにより、把持片６２は折り込み線部６３ａの部分で折り倒された状態となる。この把持片６２を把持するか又は形成された開口内に指を挿入して包装体６０を容易に手前に引き出すことができる。
【００３５】
図１２は、図１０の包装体を形成するための展開シート７０を示す。
【００３６】
以上、本発明によるマルチパック包装体について、ビール缶を包装するマルチパック包装体を４缶用及び６缶用を例に述べたが、８缶用等これ以外の本数を保持する包装体にも適用できることは明らかである。また、これらの用途も、ビール缶に限ることなく、ジュース缶やその他の飲料容器用に適用できることは明らかであろう。
【図面の簡単な説明】
【００３７】
【図１】通常のマルチパック包装体を示す図である。
【図２】マルチパック包装体をカートンケースから取り出す状態を示す図である。
【図３】本発明の実施例に係るマルチパック包装体を示す図である。
【図４】マルチパック包装体の把持片を説明する図である。
【図５】図１のマルチパック包装体の展開シートを示す図である。
【図６】本発明の他の実施例に係るマルチパック包装体を示す図である。
【図７】マルチパック包装体の把持片を説明する図である。
【図８】本発明の他の実施例に係るマルチパック包装体を示す図である。
【図９】本発明の他の実施例に係るマルチパック包装体を示す図である。
【図１０】本発明の他の実施例に係るマルチパック包装体を示す図である。
【図１１】図１０のマルチパック包装体の把持片を説明する図である。
【図１２】図１０のマルチパック包装体の把持片を説明する図である。
【符号の説明】
【００３８】
１，１０，２０，３０、４０，５０，６０  包装体
１２，３２，６２  把持片
４２，５２，５３  係合孔
【図１】
2013047124.tif 000003
【図２】
2013047124.tif 000004
【図３】
2013047124.tif 000005
【図４】
2013047124.tif 000006
【図５】
2013047124.tif 000007
【図６】
2013047124.tif 000008
【図７】
2013047124.tif 000009
【図８】
2013047124.tif 000010
【図９】
2013047124.tif 000011
【図１０】
2013047124.tif 000012
【図１１】
2013047124.tif 000013
【図１２】
2013047124.tif 000014